(57)【要約】      （修正有）【課題】長時間の放置の後にもスムーズな捕獲動作を確実に行うことができる捕獲籠を提供する。【解決手段】籠本体２０の前面開口を覆う前扉３０を開けて、前扉３０の上部フレーム３４を棒部材５１で係止することにより開状態を保ち、捕獲対象が踏み板５４を押圧することにより棒部材５１を後退させて上部フレーム３４を解放し、前扉３０を自重により閉じる。【選択図】図１
0003165171.tif 000002
【実用新案登録請求の範囲】
【請求項１】
開口を有する箱状の籠本体と、
前記開口を開閉可能に覆う扉と、を有する捕獲籠であって、
前記扉は、閉状態において前記開口から上方へ突出する上部フレームを有しており、
開状態にある前記扉の前記上部フレームを係止する棒部材を、前記籠本体の上面に沿って前後方向に設けるとともに前後方向に移動可能に設け、
捕獲対象が踏み板を押圧することにより前記棒部材を後退させて前記上部フレームを解放し、前記扉を自重により閉じることを特徴とする捕獲籠。
【請求項２】
前記籠本体の両側壁の前方にガイド部材を上下方向に設け、
前記ガイド部材に沿って上下方向へ移動可能なリング式錠を設け、
前記扉が閉じたときに、前記リング式錠が自重によって下降して前記扉が開くのを阻止することを特徴とする請求項１に記載の捕獲籠。
【請求項３】
前記ガイド部材の下部には、下方に突出する外れ防止棹が設けられおり、
前記リング式錠が下降したときに、前記外れ防止棹により係止されることを特徴とする請求項１または請求項２に記載の捕獲籠。
【請求項４】
前記踏み板は、門型フレームによって前記棒部材の後端部に連結されていることを特徴とする請求項１に記載の捕獲籠。
【考案の詳細な説明】
【技術分野】
【０００１】
本考案は、動物を捕獲するための捕獲籠に関するものである。
【０００２】
従来より、害獣等の動物を捕獲するための捕獲籠が提案されている（例えば、特許文献１参照。）
図５に示すように、特許文献１に記載の捕獲籠１００は、角柱を形成する４枚の第１のパネル１０１Ａ〜１０１Ｄと、角柱の前面および後面を塞ぐ正方形の前扉１０２Ａおよび後扉１０２Ｂを有し、前面には、昇降枠１０３を有する。前扉１０２Ａは、昇降枠１０３に沿って上下移動する。
【０００３】
前扉１０２Ａの上部には、第１のロープ１０４の基端が連結され、先端にはリング１０４Ａが取り付けられる。また、後扉１０２Ｂには、第２のロープ１０５の基端が連結され、先端にはリング１０５Ａが取り付けられる。前扉１０２Ａを開けた状態では、第１のロープ１０４と第２のロープ１０５は、リング１０４Ａ，１０５Ａを介して連結される。
【０００４】
両リング１０４Ａ，１０５Ａは、トラップ機構（図示省略）を介して連結されており、トラップ機構は、内部に侵入した動物がトラッププレートを踏む等することにより、両リング１０４Ａ，１０５Ａを分離して、前扉１０２Ａの重量により落として閉じる。
【先行技術文献】
【特許文献】
【０００５】
【特許文献１】登録実用第３１０２０４５号公報（第２図）
【考案の概要】
【考案が解決しようとする課題】
【０００６】
しかしながら、前述した捕獲籠１００のように、従来の捕獲籠においては、前扉１０２Ａの重量により落として閉じる構造となっているため、前扉１０２Ａを開けた状態ではロープ１０４，１０５やリング１０４Ａ，１０５Ａにかなりの荷重がかかった状態となっている。
このため、この状態が長時間継続すると、スムーズな動作が保証されず、時として一旦捕獲した害獣等を逃がすおそれがあるという問題があった。
【０００７】
そこで、本考案は、上記問題点に鑑みなされたものであって、長時間の放置の後にもスムーズな捕獲動作を確実に行うことができる捕獲籠を提供するものである。
【課題を解決するための手段】
【０００８】
前記課題を解決するために、本考案である捕獲籠は、開口を有する箱状の籠本体と、前記開口を開閉可能に覆う扉と、を有する捕獲籠であって、前記扉は、閉状態において前記開口から上方へ突出する上部フレームを有しており、開状態にある前記扉の前記上部フレームを係止する棒部材を、前記籠本体の上面に沿って前後方向に設けるとともに前後方向に移動可能に設け、捕獲対象が踏み板を押圧することにより前記棒部材を後退させて前記上部フレームを解放し、前記扉を自重により閉じる構成を有している。
【０００９】
この構成により、籠本体の前面の開口（前面開口）を覆う扉を開けて、扉の上部フレームを棒部材で係止することにより開状態を保ち、捕獲対象が踏み板を押圧することにより棒部材を後退させて上部フレームを解放し、扉を自重により閉じる。このため、簡易な構造により確実に作動するので、長時間の放置の後にもスムーズな捕獲動作を確実に行うことができる。
【００１０】
また、本考案である捕獲籠は、前記籠本体の両側壁の前方にガイド部材を上下方向に設け、前記ガイド部材に沿って上下方向へ移動可能なリング式錠を設け、前記扉が閉じたときに、前記リング式錠が自重によって下降して前記扉が開くのを阻止する構成を有している。
【００１１】
この構成により、扉の前方である籠本体の両側壁の前方にガイド部材を上下方向に設け、ガイド部材に沿って上下方向へ移動可能なリング式錠を設けたので、扉が閉じたときに、扉の前方においてリング式錠が自重によって下降して閂（かんぬき）として扉が開くのを阻止する。このため、確実に捕獲を行うことができる。
【００１２】
また、本考案である捕獲籠は、前記ガイド部材の下部には、下方に突出する外れ防止棹が設けられおり、前記リング式錠が下降したときに、前記外れ防止棹により係止される構成を有している。
【００１３】
この構成により、ガイド部材の下部に、下方に突出する外れ防止棹を設け、リング式錠が下降したときに、外れ防止棹により係止される。このため、万が一捕獲籠が横転したり逆さになったりしても、リング式錠が外れることはなく、扉を確実に閉状態に保って、捕獲した捕獲対象が逃げるのを防止することができる。
【００１４】
さらに、本考案である捕獲籠は、前記踏み板は、門型フレームによって前記棒部材の後端部に連結されている構成を有している。
【００１５】
この構成により、捕獲対象が捕獲籠に侵入して、踏み板を踏む等して押圧すると、門型フレームが回転して棒部材を後方へ移動させ、開状態の扉を係止している棒部材の前端が扉の上部フレームから離脱するので、扉は自重で閉じる。
【考案の効果】
【００１６】
本考案の捕獲籠によれば、籠本体の開口を覆う扉を開けて、扉の上部フレームを棒部材で係止することにより開状態を保ち、捕獲対象が踏み板を押圧することにより棒部材を後退させて上部フレームを解放し、扉を自重により閉じる。このため、簡易な構造により確実に作動するので、長時間の放置の後にもスムーズな捕獲動作を確実に行うことができる。
【図面の簡単な説明】
【００１７】
【図１】本考案にかかる実施形態の捕獲籠の全体斜視図である。
【図２】（Ａ）は捕獲籠の平面図であり、（Ｂ）は側面図であり、（Ｃ）は前面図である。
【図３】（Ａ）は前扉の正面図であり、（Ｂ）は（Ａ）中Ｂ方向から見た前扉の側面図である。
【図４】（Ａ）〜（Ｃ）は、捕獲動作を示す工程図である。
【図５】従来の捕獲籠の全体斜視図である。
【考案を実施するための形態】
【００１８】
以下、図面を参照して本考案にかかる実施形態の捕獲籠について詳細に説明する。
図１および図２に示すように、本考案に係る実施形態の捕獲籠１０は、前面開口２１および後面開口２２を有する矩形箱状の籠本体２０と、開口としての前面開口２１を開閉可能に覆う扉である前扉３０と、を有する。
なお、後面開口２２および後面開口２２を開閉可能に覆う後扉１１は設けなくても良いが、ここでは、後面開口２２を設け、後扉１１を設けた場合について主に説明する。
【００１９】
籠本体２０、前扉３０および後扉１１は、柵状あるいは網状のパネルにより構成される。これらは、丸鋼を折り曲げ、溶接して形成することができる。あるいは、金網を用いて形成することができる。また、捕獲籠１０の全体を黒くして、捕獲対象の警戒心を弱めるのが望ましい。
【００２０】
籠本体２０は、下面に底面パネル２０１，上面に上面パネル２０２，左右両側面パネル２０３，２０４を組み合わせた、角柱形状を呈しており、底面パネル２０１の長手方向前端部および後端部には、捕獲籠１０を載置した際に安定するように台座２３が設けられている。
なお、上面パネル２０２の前端の部材は、前扉３０を回転可能に支持する回転軸２４となっている。
【００２１】
図３に示すように、前扉３０は、矩形枠状の扉本体３１の後面に、所定間隔で上下方向に複数本の柵材３２が溶接により取り付けられている。
また、扉本体３１の前面中央部には、前扉３０を回転可能に取り付けるために、一対の縦材３３１、３３２と、縦材３３１，３３２の下端部を水平方向に連結する１本の横材３３３とで、全体コ字状に形成された支持部材３３が取り付けられている。縦材３３１，３３２の上端部は、回転軸２４（図１参照）を包むように円弧状に屈曲された回転支持部３３４を有する。支持部材３３は、溶接により扉本体３１に強固に接続されている。
【００２２】
さらに、扉本体３１の左右両端部付近には、一対の支持アーム３４１，３４２と、支持アーム３４１，３４２の上端を連結する係止部材３４３とから、全体コ字状に形成された上部フレーム３４が取り付けられている。上部フレーム３４の係止部材３４３は、前扉３０を閉じた状態で、回転軸２４より上方に突出している。また、支持アーム３４１，３４２は、溶接により扉本体３１の上辺および下辺に強固に接続されている。
従って、図３（Ｂ）に示すように、前扉３０は、回転軸２４を中心として、鉛直方向から水平方向（二点鎖線で表示）へ略９０度回転可能となっている。
【００２３】
図１および図２に示すように、籠本体２０の両側壁である両側面パネル２０３，２０４の前方には、ガイド部４０が設けられている。ガイド部４０は、上下の斜材４１１，４１２と、上下方向のガイド部材４２とで、全体平行四辺形となっている。また、ガイド部材４２を下方へ延長するように、下方に突出した外れ防止棹４３が設けられている。
【００２４】
ガイド部４０には、ガイド部材４２に沿って上下方向へ移動可能なリング式錠４４が設けられている。リング式錠４４は、一対の直線部４４１，４４２と、直線部４４１，４４２を連結する半円部４４３，４４４とから、全体長円形状に形成されており、リング式錠４４の長さは、籠本体２０の幅よりも大きい。また、一方の直線部４４２は、ガイド部材４２の内側、すなわち、前扉３０の前方で、ガイド部材４２の内側に配置されている。
【００２５】
これにより、リング式錠４４は、ガイド部４０から外れることなく、ガイド部材４２に沿って上下移動可能となっており、リング式錠４４が自重により下方位置にある場合には、リング式錠４４が閂として作用するので、前扉３０の開閉が阻止される。この状態では、リング式錠４４はガイド部４０の下側の斜材４１２に沿って下降しており、万が一捕獲籠１０が横転しても、リング式錠４４は外れ防止棹４３に引っかかり、上方へ移動するのを阻止される。
【００２６】
また、リング式錠４４をガイド部材４２の上端に移動させ、他方の直線部４４１を後方へ回転させることにより、直線部４４１をガイド部の上側の斜材４１１に引っ掛けることができる。これにより、リング式錠４４の落下を防止して、前扉３０が開閉可能となる。
【００２７】
図１および図２に示すように、上面パネル２０２の上側には、棒部材５１が捕獲籠１０の前後方向（長手方向）に設けられており、且つ、前後方向へ移動可能となっている。棒部材５１の前端部は、上面パネル２０２の上側に取り付けられている軸受け５２により、上面パネル２０２の幅方向中央部において前後方向へ移動可能に支持される。軸受け５２は、例えば、Ｌ字形状の部材に、棒部材５１の外径よりも若干大きめの貫通孔（図示省略）を設けて形成できる。
【００２８】
棒部材５１の後端部は、門型フレーム５３に連結されている。門型フレーム５３は、籠本体２０における後部に設けられており、一対の脚部５３１，５３２と、脚部５３１，５３２の上端同士を連結する連結部５３３とから門型に形成されている。棒部材５１は、連結部５３３の中央に連結される。
【００２９】
脚部５３１，５３２は、籠本体２０の内部において底面パネル２０１の上に回転可能に設けられている踏み板５４に、剛に接続されている。
従って、踏み板５４が回転すると、門型フレーム５３が回転して、棒部材５１が前後に移動する。
【００３０】
なお、棒部材５１の長さは、門型フレーム５３を前方に傾けた際に、棒部材５１の先端が開状態にある前扉３０の上部フレーム３４の係止部材３４３に達し、且つ、踏み板５４を水平にして門型フレーム５３を垂直にした状態では係止部材３４３に達しない長さに設定する。
【００３１】
籠本体２０内部における後端部には、捕獲対象を引き付けるためのエサ５５を吊すエサ台５６が上面パネル２０２から吊り下げられている。なお、エサ５５は、吊さずに、載置するようにしてもよい。
また、籠本体２０の後面開口２２に開閉可能に設けられている後扉１１は、主にエサ５５を取り付ける際に開けるものである。従って、後扉１１を設けない場合には、前扉３０側からエサ５５を取り付ける。
【００３２】
次に、捕獲籠１０の使用方法について説明する。
まず、エサ５５をエサ台５６に取り付ける。
次いで、図４（Ａ）に示すように、リング式錠４４をガイド部４０の上端に移動（図４（Ａ）中矢印Ａ参照）させて斜材４１１に引っ掛ける（図４（Ｂ）参照）。
【００３３】
その後、図４（Ｂ）に示すように、前扉３０を上方へ開けて（図４（Ｂ）中矢印Ｂ参照）、上部フレーム３４の係止部材３４３を籠本体２０の上面パネル２０２の上に載置する。
そして、図４（Ｃ）に示すように、門型フレーム５３を前方へ傾けて（図４（Ｃ）中矢印Ｃ参照）、門型フレーム５３の連結部５３３を前方へ移動させる。このとき、踏み板５４が回転して後端が上がる。これに伴い、棒部材５１が前方へ移動するので、棒部材５１の先端を前扉３０の上部フレーム３４の係止部材３４３の上に載せて（図４（Ｃ）中矢印Ｄ参照）、前扉３０を開状態にセットする。
【００３４】
次に、捕獲対象を捕獲する際の動作について説明する。
図４（Ｃ）に示す状態で、捕獲対象が、エサ５５に釣られて前面開口２１から籠本体２０の内部に侵入し、エサ５５を目指して進むと、踏み板５４の上に載る。これにより、踏み板５４が回転して（図４（Ｃ）中矢印Ｅ参照）、門型フレーム５３を後方へ回転させる（図４（Ｃ）中矢印Ｆ参照）ので、棒部材５１が後方へ移動して（図４（Ｃ）中矢印Ｇ参照）、上部フレーム３４の係止部材３４３から離脱する（図４（Ｂ）参照）。
【００３５】
これにより、前扉３０は自重で下方へ回転して、前面開口２１を閉じる（図４（Ｂ）中矢印Ｈ参照）。これに伴い、リング式錠４４がガイド部４０に沿って下降し（図４（Ｂ）中矢印Ｊ参照）、外れ防止棹４３を越えて下端まで下降する（図４（Ａ）参照）。
これにより、前扉３０はリング式錠４４の閂機能によってロックされる。
【００３６】
以上、説明した本考案に係る実施形態の捕獲籠１０によれば、籠本体２０の前面開口２１を覆う前扉２０を開けて、前扉３０の上部フレーム３４を棒部材５１で係止することにより開状態を保ち、捕獲対象が踏み板５４を押圧することにより棒部材５１を後退させて上部フレーム３４を解放し、前扉３０を自重により閉じる。
このため、簡易な構造により確実に作動するので、長時間の放置の後にもスムーズな捕獲動作を確実に行うことができる。
【００３７】
また、前扉３０の前方である籠本体２０の両側壁２０３，２０４の前方にガイド部材４２を上下方向に設け、ガイド部材４２に沿って上下方向へ移動可能なリング式錠４４を設けたので、前扉３０が閉じたときに、前扉３０の前方においてリング式錠４４が自重によって下降して閂として前扉３０が開くのを阻止する。このため、確実に捕獲を行うことができる。
【００３８】
また、ガイド部材４２の下部に、下方に突出する外れ防止棹４３を設け、リング式錠４４が下降したときに、外れ防止棹４３により係止される。このため、万が一捕獲籠１０が横転したり逆さになったりしても、リング式錠４４が外れることはなく、前扉３０を確実に閉状態に保って、捕獲した捕獲対象が逃げるのを防止することができる。
【００３９】
さらに、捕獲対象が捕獲籠１０に侵入して、踏み板５４を踏む等して押圧すると、門型フレーム５３が回転して棒部材５１を後方へ移動させ、開状態の前扉３０を係止している棒部材５１の前端が前扉３０の上部フレーム３４から離脱するので、前扉３０は自重で閉じる。これにより、侵入してきた捕獲対象を確実に捕獲することができる。
【００４０】
以上、本考案の好ましい実施形態について詳述したが、本考案に係る捕獲籠１０は上述した実施形態に限定されるものではなく、実用新案登録請求の範囲に記載された本考案の要旨の範囲内において、種々の変形、変化が可能である。
例えば、前述した捕獲籠１０では、矩形断面の籠本体２０の場合について説明したが、その他の断面形状、例えば円形等でも可能である。
【符号の説明】
【００４１】
１０      捕獲籠
２０      籠本体
２０２      上面パネル（上面）
２０３，２０４      側面パネル（側壁）
２１      前面開口（開口）
２２      後面開口（開口）
３０      前扉（扉）
３４      上部フレーム
４２      ガイド部材
４３      外れ防止棹
４４      リング式錠
５１      棒部材
５３      門型フレーム
５４      踏み板
【図１】
0003165171.tif 000003
【図２】
0003165171.tif 000004
【図３】
0003165171.tif 000005
【図４】
0003165171.tif 000006
【図５】
0003165171.tif 000007